(57)【要約】【課題】  ホログラフィック情報記録媒体の感光材料を効果的に保護し、記録したデータが紫外線の影響による破壊を防ぐ、ホログラフィック情報記録媒体を提供する。【解決手段】  本発明によるホログラフィック情報記録媒体は、ホログラフィデータを記録するための情報記録本体と、情報記録本体の表面上に形成され、所定の波長のみを通過させる保護層とを備える。【選択図】  図３
2005025191.tif 000002
【特許請求の範囲】
【請求項１】
ホログラフィデータを記録するための情報記録本体と、
情報記録本体の表面上に形成され、所定の波長のみを通過させる保護層と
を備える、ことを特徴とするホログラフィック情報記録媒体。
【請求項２】
前記ホログラフィデータは、３次元の映像データである、ことを特徴とする請求項１に記載のホログラフィック情報記録媒体。
【請求項３】
前記情報記録本体は、感光性材料より構成される、ことを特徴とする請求項１に記載のホログラフィック情報記録媒体。
【請求項４】
前記情報記録本体は、感光モノマーと光開始剤とにより構成される、ことを特徴とする請求項１に記載のホログラフィック情報記録媒体。
【請求項５】
前記保護層は、紫外線が前記情報記録本体に照射することを防ぎ、紫外線の通過に抵抗する保護層である、ことを特徴とする請求項１に記載のホログラフィック情報記録媒体。
【請求項６】
前記所定の波長の光は、波長が４００ｎｍ〜５００ｎｍまたは６００ｎｍ〜７００ｎｍである、ことを特徴とする請求項１に記載のホログラフィック情報記録媒体。
【発明の詳細な説明】
【技術分野】
【０００１】
本発明は、データ記録媒体に関し、特に３次元の映像データを記録するホログラフィック情報記録媒体に関する。
【背景技術】
【０００２】
科学技術の進展に伴い、光記録媒体を利用してデータを記録することが普及してきている。現在よく使用される光記録媒体として、例えばコンパクトディスク（ＣＤ，  Ｃｏｍｐａｃｔ  Ｄｉｓｃ）やデジタルビデオディスク（ＤＶＤ，  Ｄｉｇｉｔａｌ  Ｖｅｒｓａｔｉｌｅ  Ｄｉｓｃ）などがある。しかし、例えば、マスコミュニケーションが次第にデジタル化され、提供した映像も極めて高い解析度が要求され、家庭でのデジタル製品も普及され、バーチャルのゲームもよく利用されるため、上記光記録媒体の容量もすでに対応できなくなった。
【０００３】
このような問題を解決する方法として、ホログラフィック情報記録媒体（ｈｏｌｏｇｒａｐｈｉｃ  ｄａｔａ  ｓｔｏｒａｇｅ  ｍｅｄｉｕｍ）が高密度の記録媒体として注目されている。上記光記録媒体と比べ、ホログラフィック情報記録媒体は、比較的に大きいデータの記録容量を有し、しかもそのアクセス速度も比較的に速い。その理由として、ホログラフィック情報記録媒体が感光性材料（ｐｈｏｔｏｓｅｎｓｉｔｉｖｅ  ｐｏｌｙｍｅｒｉｃ  ｍａｔｅｒｉａｌ）より構成され、信号光と参照光とにより、ホログラフィック情報記録媒体に３次元の映像データを書き込むからである。即ち、ホログラフィデータであるため、データの記録容量を大幅に増大させることができる。
【０００４】
図１は、従来のホログラフィック情報記録媒体の書き込み動作を説明する図である。図１に示すように、単一波長のレーザ光２は、データを含む信号光２０と、参照光２２と、に分けられる。信号光２０は、変調器１２により暗号化された後、０と１のデジタルデータを明るいピクセルと暗いピクセルに変換するとともに、百萬ビットの単位でアレイまたは多ページ（ｐａｇｅ）の方式で配列する。これらページは、信号光２０と参照光２２とがホログラフィック情報記録媒体１４における交差点になり、これにより記録データのホログラム（ｈｏｌｏｇｒａｍ）が形成される。なお、ホログラフィック情報記録媒体１４には、参照光２２の角度や波長を変更することにより、複数のホログラフィデータを同じ位置に繰り返して書き換えることができるため、データ記録容量を増大させることができる。また、ホログラフィック情報記録媒体１４で交差する前に、信号光２０は、予め第１レンズ３０を通過し、参照光２２は、予め第２レンズ３２を通過することもできる。
【０００５】
図２は、従来のホログラフィック情報記録媒体の読み取り動作を説明する図である。図２に示すように、ホログラフィック情報記録媒体１４に記録されたデータを読み取る際に、参照光２２と同じ属性を有するレーザ光２４により、ホログラフィック情報記録媒体１４と第３レンズ３４とを照射して通過し、これによりホログラフィック情報記録媒体１４に記録されたホログラムをセンサ１６に結像することで、光の形式でデータを読み取ることができる。即ち、データの読み取りは、一回で百萬ビットの単位で平行に読み取るため、読み取りの速度を高めることができる。
【発明の開示】
【発明が解決しようとする課題】
【０００６】
しかし、ホログラフィック情報記録媒体は、光に感光する材料より構成されるため、ホログラフィック情報記録媒体が長期に紫外線の環境で露出されると、ホログラフィック情報記録媒体に記録されたデータが厳しく損なわれ、例えばデータロス（ｄａｔａ  ｌｏｓｓ）やクロストークの問題が生じてしまう。
【０００７】
本発明は、上記問題に鑑みてなされたものであり、ホログラフィック情報記録媒体の感光材料を効果的に保護し、記録したデータが紫外線の影響により破壊されることを防止できるホログラフィック情報記録媒体を提供することを目的とする。
【課題を解決するための手段】
【０００８】
上記目的を達成するために、本発明によるホログラフィック情報記録媒体は、ホログラフィデータを記録するための情報記録本体と、情報記録本体の表面上に形成され、所定の波長のみを通過させる保護層とを備える。
【発明の効果】
【０００９】
本発明のホログラフィック情報記録媒体によれば、紫外線をろ過し、紫外線の通過に抵抗する保護層が設けられるため、ホログラフィック情報記録媒体の感光材料を効果的に保護することができ、情報記録コア層に記録されたデータが紫外線の影響により破壊されることを防ぐことができる。
【発明を実施するための最良の形態】
【００１０】
以下、図面を参照しながら、本発明の好適な実施例におけるホログラフィック情報記録媒体について説明する。
【００１１】
図３に示すように、本発明の好適な実施例におけるホログラフィック情報記録媒体４は、情報記録本体４１と、保護層４３とを備える。
【００１２】
情報記録本体４１は、ホログラフィデータ、即ち３次元の映像データを記録するために用いられる。本実施例において、情報記録本体４１は、感光性材料より構成され、詳しく説明すると、情報記録本体４１は、感光モノマー（ｐｈｏｔｏａｃｔｉｖｅ  ｍｏｎｏｍｅｒ）と光開始剤（ｐｈｏｔｏｉｎｉｔｉａｔｏｒ）とを混ぜてから、硬化（ｃｕｒｉｎｇ）過程を経て形成される。情報記録本体４１は、例えば上述した従来のホログラフィック情報記録媒体１４である。
【００１３】
保護層４３は、情報記録本体４１の表面上に形成され、所定の波長の光５０のみを通過させる。本実施例において、情報記録本体４１の形状は、ディスク状であり、無機材料（例えばＴｉＯ２−Ｆｅ２Ｏ３）または有機材料（例えばベンゼン環含有のポリエステル）からなる保護層４３は、情報記録本体４１の上下両側面上に形成される。また、保護層４３は、情報記録本体４１全体の表面を覆うように形成することもできる。例えば、情報記録本体の形状が立方体であり、保護層は、情報記録本体全体の表面を覆うように、立方体の情報記録本体の六つの表面に形成される（図示せず）。
【００１４】
なお、本実施例において、保護層４３は、紫外線の通過に抵抗する保護層である。即ち、保護層４３を通過できる所定の波長の光５０が非紫外線であり、保護層４３を通過できない他の波長の光５２が紫外線であるため、紫外線が直接情報記録本体４１に照射することを防ぐことができる。
【００１５】
さらに、本発明に係わる所定の波長の光５０は、波長が４００ｎｍ〜５００ｎｍの青光でもよく、６００ｎｍ〜７００ｎｍの赤光でもよい。この場合、保護層４３は、現在光記録媒体領域でよく利用される青光また赤光を通過させるため、青光または赤光レーザにより情報記録本体４１に書き込みまたは読み取りを行うことができる。さらに、保護層４３は、波長が約３２０ｎｍ以下である紫外線をろ過することができるため、紫外線が情報記録本体４１に直接照射するのを防ぐことができる。
【００１６】
なお、所定の波長の光は、他の非紫外線の波長の光であってもよい。この場合、保護層もこの所定の波長の光を通過させる。また、情報記録本体の上に、複数の保護層を形成することもできる。これにより、所定の波長の光を通過させるとともに、紫外線の通過を防ぐことが図られる。
【００１７】
以上、本発明の実施の形態を図面を参照して詳述してきたが、具体的な構成は、この実施の形態に限られるものではなく、本発明の要旨を逸脱しない範囲の設計変更等があっても、本発明に含まれる。
【図面の簡単な説明】
【００１８】
【図１】従来のホログラフィック情報記録媒体の書き込みを説明する図である。
【図２】従来のホログラフィック情報記録媒体の読み取りを説明する図である。
【図３】本発明の好適な実施例におけるホログラフィック情報記録媒体の構成を示す図である。
【符号の説明】
【００１９】
２  レーザ光
４  ホログラフィック情報記録媒体
１２  変調器
１４  ホログラフィック情報記録媒体
１６  センサ
２０  信号光
２２  参照光
２４  レーザ光
３０  第１レンズ
３２  第２レンズ
３４  第３レンズ
４１  情報記録本体
４３  保護層
５０  所定の波長の光
５２  他の波長の光
【図１】
2005025191.tif 000003
【図２】
2005025191.tif 000004
【図３】
2005025191.tif 000005